(57)【要約】【課題】  本発明は、「床つか」を施行する場合、その足場が上下にバラバラに付いていたり、あるいはデッキ板の面形状がいろいろであって、予定位置に設置できないような場合であっても、施行時や施行後に簡単に上下の調整が可能なデッキ板高さ調整固定装置を提供することを目的とする。【解決手段】  本発明は、地面が水平でなくとも、高さ調整部材に取り付けられた角座金と根太受け部材とを角座金挿入溝と連結押え部材挿入溝とに挿入し、スライドさせて所定の位置におき、高さ調整部材により、所望の高さにする。したがって、地面が水平でない場所、施行後に地盤等が沈下した際であっても、デッキ板は、前記高さ調整部材により水平にすることができ、縁側、テラス、バルコニー、庭、廊下等が容易に作製される。【選択図】    図１
2005314931.tif 000002
【特許請求の範囲】
【請求項１】
デッキ板と、
前記デッキ板を載置する根太と、
前記デッキ板を連結する連結押え部材と、
デッキ板の高さを調整する高さ調整部材と、
前記高さ調整部材に取り付けられ、根太を挟持する根太受け部材および角座金と、
から構成されるデッキ板高さ調整固定装置において、
前記根太は、
下部に前記角座金がスライドするように挿入される角座金挿入溝と、
上部に前記連結押え部材がスライドするように挿入される連結押え部材挿入溝と、
前記角座金挿入溝と前記連結押え部材挿入溝とを繋ぐ側部部材と、
前記連結押え部材挿入溝の下部に設けられているとともに、前記側部部材を連結する連結押え部材載置板と、
を少なくとも備えていることを特徴とするデッキ板高さ調整固定装置。
【請求項２】
前記根太は、前記角座金挿入溝の上部と前記連結押え部材載置板との間に設けられた傾斜部材を少なくとも備えていることを特徴とする請求項１に記載されたデッキ板高さ調整固定装置。
【請求項３】
前記根太は、
前記角座金挿入溝の上部に、互いに突出した上部水平部材と、
前記上部水平部材に垂直に連設された垂直部材と、
前記垂直部材のそれぞれを連結した連結部材と、
を少なくとも備えていることを特徴とする請求項１に記載されたデッキ板高さ調整固定装置。
【請求項４】
前記連結押え部材は、
上部に設けられ、デッキ板に設けられた溝に挿入される上部突出部と、
下部に設けられ、連結押え部材挿入溝に挿入される下部突出部と、
前記上部突出部と前記下部突出部とを連結し、前記根太の長さ方向に対して直角方向に設けられた垂直連結部と、
前記垂直連結部が前記連結押え部材挿入溝でスライド自在にするために連結部の両端に設けられた切欠き部と、
を少なくとも備えていることを特徴とする請求項１から請求項３のいずれか１項に記載されたデッキ板高さ調整固定装置。
【請求項５】
前記角座金は、ねじ切り突出部が成形されていることを特徴とする請求項１から請求項４のいずれか１項に記載されたデッキ板高さ調整固定装置。
【請求項６】
前記角座金は、下面に少なくとも一つの凹部を有することを特徴とする請求項１から請求項５のいずれか１項に記載されたデッキ板高さ調整固定装置。
【請求項７】
前記根太受け部は、根太を受け入れる根太受け凹部に対して開く傾斜側部を有することを特徴とする請求項１から請求項６のいずれか１項に記載されたデッキ板高さ調整固定装置。
【請求項８】
前記根太受け部の内側および根太の下部角部には、長さ方向に沿った切欠き部が設けられていることを特徴とする請求項１から請求項７のいずれか１項に記載されたデッキ板高さ調整固定装置。
【請求項９】
前記根太の長さ方向の両端には、エンドプレートを取り付ける長さ方向のタップネジ孔があり、前記タップネジ孔には、長さ方向に沿って溝が設けられていることを特徴とする請求項１から請求項８のいずれか１項に記載されたデッキ板高さ調整固定装置。
【請求項１０】
前記根太、根太受け部、連結押え部材は、一体成形により作製されていることを特徴とする請求項１から請求項９のいずれか１項に記載されたデッキ板高さ調整固定装置。
【発明の詳細な説明】
【技術分野】
【０００１】
本発明は、住宅や構築物の「縁側」、「テラス」、「バルコニー」、「庭」、「廊下」等に敷きつめるデッキ板を水平に固定するデッキ板高さ調整固定装置に関するものである。本明細書において、「縁側等」の記載は、「テラス」、「バルコニー」、「庭」、「廊下」、あるいは類似構造物を含むものとする。
【背景技術】
【０００２】
たとえば、前記縁側等に敷くデッキ板は、水平でなければならない。しかし、前記縁側等を設置する下部における地盤は、凹凸面があり、平滑面でない場合が多い。前記縁側等に敷くデッキ板は、前記板材を受けるための床下に渡す横板、すなわち、根太（以下、単に根太と記載する）が水平でないと、同じ高さの水平面が得られない。
【０００３】
前記デッキ板による縁側等の施行は、大工が現場で形状あるいは状況に合わせて、デッキ板、根太、土台等を作製していた。現在、施工業者は、既製の製品（規格品、標準品）である資材、部材、部品を調達し、現場において、施行するようになって来た。しかし、前記資材、部材、部品は、大半が特注品でないと現場に合わない場合があり、高価な作製費となる場合があった。
【０００４】
たとえば、特開２００４−８４２２５号公報には、複数本の根太材により平面視多角形の根太枠が形成され、複数個の根太枠を隣接配置して、それらのコーナー部を相互に連結支持する連結支持金具と、複数の根太枠の最外側の各コーナー部を支持する支持金具と、前記各金具を予め設定した所定高さに調整可能に支持する金具支持脚と、前記複数の根太枠のそれぞれに着脱自在に装着される床板ユニットとを備え、短時間で組立・分解が容易にできる簡易組立式デッキが記載されている。
【０００５】
また、特開２００２−１１５３９０号公報には、基礎床上に壁際に沿ってレールを固定し、該レールに対して高さ調整が自在にできる床パネル支持板が装着された所要数のユニット支持脚を摺動可能な状態で立設係留し、該それぞれの床パネル支持板間を金属製アングルによって渡設し、該床パネル支持板の高さ調整を行った後、壁に直に接しない状態で床パネル支持板および金属製アングルを設ける高さ調整自在な根太施行方法が記載されている。
【特許文献１】特開２００４−８４２２５号公報
【特許文献２】特開２００２−１１５３９０号公報
【発明の開示】
【発明が解決しようとする課題】
【０００６】
前記特許文献１、および特許文献２に記載された発明は、いずれも既製品であり、現場に合わせて、大きさおよび高さを調整、あるいは組立・分解が可能なようになっている。しかし、前記各特許文献に記載された発明は、汎用性の高いものであり、地盤の形状により追随できるデッキ板高さ調整固定装置ではない。
【０００７】
縁側等の需要は、大半が現場合わせの特注品になる。したがって、施行業者は、地盤の上下対応、施行後における地盤沈下や変化に対する対応ができる「床つか」の設置を要求している。また、前記施工業者は、標準仕様の施行で予定される「床つか」の位置に設置できない場合、別の位置に簡単に施行できたり、あるいは追加部材により施行ができるようになることを要求している。
【０００８】
デッキ板は、水平に平滑に施行されるべきであるにもかかわらず、木材なので、部材自身が踊ったり、ねじれている。また、前記デッキ板は、環境と時間により歪みが発生する。さらに、前記デッキ板は、施行時、施行後に、踊るので、歪みが大きい時に、根太の高さ調整が必要になる。したがって、前記デッキ板は、あらゆる時点で、上下の調整が容易にできる必要がある。
【０００９】
以上のような課題を解決するために、本発明は、「床つか」を施行する場合、その足場が上下にバラバラに付いていたり、あるいはデッキ板の面形状がいろいろであって、予定位置に設置できないような場合であっても、施行時や施行後に簡単に上下の調整が可能で、デッキ板が腐食しにくいデッキ板高さ調整固定装置を提供することを目的とする。
【００１０】
本発明は、デッキ板、根太、および高さ調整部材との取り付けを連結押え部材、角座金、根太受け部材を介して、容易にできるだけでなく、前記根太等の構造により、これらの組み立て、高さ調整、および固定ができるデッキ板高さ調整固定装置を提供することを目的とする。
【課題を解決するための手段】
【００１１】
（第１発明）
第１発明のデッキ板高さ調整固定装置は、デッキ板と、前記デッキ板を載置する根太と、前記デッキ板を連結する連結押え部材と、デッキ板の高さを調整する高さ調整部材と、前記高さ調整部材に取り付けられ、根太を挟持する根太受け部材および角座金とから構成されており、前記根太は、下部に前記角座金がスライドするように挿入される角座金挿入溝と、上部に前記連結押え部材がスライドするように挿入される連結押え部材挿入溝と、前記角座金挿入溝と前記連結押え部材挿入溝とを繋ぐ側部部材と、前記連結押え部材挿入溝の下部に設けられているとともに、前記側部部材を連結する連結押え部材載置板とを少なくとも備えていることを特徴とする。
【００１２】
（第２発明）
第２発明のデッキ板高さ調整固定装置において、第１発明の根太は、角座金挿入溝の上部と連結押え部材載置板との間に設けられた傾斜部材を少なくとも備えていることを特徴とする。
【００１３】
（第３発明）
第３発明のデッキ板高さ調整固定装置において、第１発明の根太は、角座金挿入溝の上部に、互いに突出した上部水平部材と、前記上部水平部材に垂直に連設された垂直部材と、前記垂直部材のそれぞれを連結した連結部材とを少なくとも備えていることを特徴とする。
【００１４】
（第４発明）
第４発明のデッキ板高さ調整固定装置において、第１発明から第３発明の連結押え部材は、上部に設けられ、デッキ板に設けられた溝に挿入される上部突出部と、下部に設けられ、連結押え部材挿入溝に挿入される下部突出部と、前記上部突出部と前記下部突出部とを連結し、前記根太の長さ方向に対して直角方向に設けられた垂直連結部と、前記垂直連結部が前記連結押え部材挿入溝でスライド自在にするために連結部の両端に設けられた切欠き部とを少なくとも備えていることを特徴とする。
【００１５】
（第５発明）
第５発明のデッキ板高さ調整固定装置において、第１発明から第４発明の角座金は、ねじ切り突出部が成形されていることを特徴とする。
【００１６】
（第６発明）
第６発明のデッキ板高さ調整固定装置において、第１発明から第５発明の角座金は、下面に少なくとも一つの凹部を有することを特徴とする。
【００１７】
（第７発明）
第７発明のデッキ板高さ調整固定装置において、第１発明から第６発明の根太受け部は、根太を受け入れる根太受け凹部に対して開く傾斜側部を有することを特徴とする。
【００１８】
（第８発明）
第８発明のデッキ板高さ調整固定装置において、第１発明から第７発明の根太受け部の内側および根太の下部角部には、長さ方向に沿った切欠き部が設けられていることを特徴とする。
【００１９】
（第９発明）
第９発明のデッキ板高さ調整固定装置において、第１発明から第８発明の根太の長さ方向の両端には、エンドプレートを取り付ける長さ方向のタップネジ孔があり、前記タップネジ孔には、長さ方向に沿って溝が設けられていることを特徴とする。
【００２０】
（第１０発明）
第１０発明のデッキ板高さ調整固定装置において、第１発明から第９発明の根太、根太受け部、連結押え部材は、一体成形により作製されていることを特徴とする。
【発明の効果】
【００２１】
本発明によれば、縁側等を設置する庭や土間が平面でなく、凹凸があっても、デッキ板の高さが水平面となるように調整するとともに、デッキ板、根太、高さ調整部材の固定を容易にすることができる。
【００２２】
本発明によれば、施行時、施行後、経年変化により、前記縁側等に敷くデッキ板が踊ったり、あるいは曲がっても、デッキ板の高さが水平面となるように調整することが容易にできる。
【００２３】
本発明によれば、根太、連結押え部材、根太受け部材、高さ調整部材等を標準化することで、これらの組み込みが容易であるため、特注の縁側等であっても、安価な施行が可能となる。
【００２４】
本発明によれば、連結押え部材を自在に嵌め込むことにより、根太に対してビス止めを極端に少なくすることができるため、ビスによりデッキ板に錆が付いて見栄えを悪くすることがない。
【００２５】
本発明によれば、根太、連結押え部材、根太受け部材、高さ調整部材等の形状に工夫を凝らしているため、過重に対する変形、経年変化によっても撓みや変形が少なく、組み込み作業が容易にできるようになっている。
【発明を実施するための最良の形態】
【００２６】
（第１発明）
第１発明のデッキ板高さ調整固定装置は、デッキ板と、前記デッキ板を載置する根太と、前記デッキ板を連結する連結押え部材と、デッキ板の高さを調整する高さ調整部材と、前記高さ調整部材に取り付けられ、根太を挟持する根太受け部材および角座金とから少なくとも構成され、前記角座金と前記高さ調整部材に螺合されているナット、および前記高さ調整部材によりデッキ板を所望の高さに固定することができる。
【００２７】
また、前記根太は、下部に前記角座金がスライドするように挿入される角座金挿入溝と、上部に前記連結押え部材がスライドするように挿入される連結押え部材挿入溝と、前記角座金挿入溝と前記連結押え部材挿入溝とを繋ぐ側部部材と、前記連結押え部材挿入溝の下部に設けられているとともに、前記側部部材を連結する連結押え部材載置板とを少なくとも備えている。また、前記連結押え部材載置板および前記側部部材は、根太として、はらまず、撓まない強度を有するように適度の厚さを有することが望ましい。
【００２８】
第１発明は、地面が水平でなくとも、高さ調整部材に取り付けられた角座金と根太受け部材とを角座金挿入溝と連結押え部材挿入溝とに挿入し、スライドさせて所定の位置におき、高さ調整部材により、所望の高さにする。したがって、地面が水平でない場所、施行後に地盤等が沈下した際であっても、デッキ板は、前記高さ調整部材により水平にすることができ、縁側、テラス、バルコニー、庭、廊下等が容易に作製される。
【００２９】
（第２発明）
第２発明のデッキ板高さ調整固定装置における根太は、角座金挿入溝の上部と前記連結押え部材載置板との間に設けられた傾斜部材が少なくとも備えられている。前記構成は、根太の垂直方向の過重による変形をなくすだけでなく、高さ調整部材のボルト部分が挿入し易く、かつ、角座金が移動し易いように外方に向かって広げることができ、角座金をスライドし易くする。
【００３０】
（第３発明）
第３発明のデッキ板高さ調整固定装置における根太は、互いに突出した上部水平部材と、前記上部水平部材に連設された垂直部材と、前記垂直部材をそれぞれ連結した連結部材とから少なくとも構成されている。前記上部水平部材、垂直部材、連結部材で構成された下向きのコ字状部は、高さ調整部材のボルト部分が挿入されるスペースが確保されるとともに、根太がはらまず、撓まないだけの強度を得ることができる。
【００３１】
（第４発明）
第４発明のデッキ板高さ調整固定装置における連結押え部材は、上部突出部と、下部突出部と、前記上部突出部と下部突出部との間に設けられた垂直連結部とから構成されている。前記上部突出部は、左右の端部がデッキ板に設けられた溝にスライド自在に入る。前記下部突出部は、根太の下部に設けられた連結押え部材挿入溝に挿入される。
【００３２】
前記垂直部は、前記上部突出部と前記下部突出部とを連結するとともに、前記根太に対して直角方向に設けられている。また、前記垂直連結部の両端部は、前記連結押え部材挿入溝でスライド自在にするために切欠き部が設けられている。前記切欠き部は、連結押え部材挿入溝を形成しているフランジに当たらないため、前記根太の長さ方向へのスライドが容易にできる。
【００３３】
（第５発明）
第５発明のデッキ板高さ調整固定装置における角座金は、高さ調整部材を構成するボルトに螺合するネジを切る部分として、ねじ切り突出部が成形されている。前記突出部は、当該する位置に押し出し部を形成し、タップを立てて、前記ボルトを螺合する。
【００３４】
（第６発明）
第６発明のデッキ板高さ調整固定装置における角座金は、その下面に少なくとも一つの凹部が形成されている。前記角座金は、押し出しによりネジ切り突出部が成形されているため、強度的に落ちる場合がある。前記角座金の下面に設けられた凹部は、その強度を上げるために設けられている。
【００３５】
（第７発明）
第７発明のデッキ板高さ調整固定装置における根太受け部は、根太を受け入れる根太受け凹部に対して開く傾斜側部が突出している。前記傾斜側部は、前記根太を受け入れる際の作業が容易であるだけでなく、互いのかみ合わせを良くすることができる。
【００３６】
（第８発明）
第８発明のデッキ板高さ調整固定装置における根太受け部の内側および根太の下部角部には、長さ方向に沿った切欠き部が設けられている。前記切欠き部は、互いに嵌合する際にすわりが良く、組立作業も容易にできる。第７発明および第８発明は、たとえば、縁側やテラスの下部に設けられるため、根太等の取り付けが狭い場所、薄暗い場所、腰をかがめる作業等が多く、前記切欠き部や開く傾斜側部等により作業性が容易になる。
【００３７】
（第９発明）
第９発明のデッキ板高さ調整固定装置における根太の長さ方向の両端には、エンドプレートが取り付けられて、縁側やテラスの横方向からの美観を良くする。前記エンドプレートは、外部からネジを根太に設けられている長さ方向のタップネジ孔にネジ込む。前記ネジは、前記タップネジ孔にネジを立てながらネジ止めが行われる際に発生する削り屑を前記タップネジ孔に沿って形成された溝に溜めることができるため、取り付けが堅固にできる。
【００３８】
（第１０発明）
第１０発明のデッキ板高さ調整固定装置における根太、根太受け部、連結押え部材等は、たとえば、アルミニウム、アルミニウム合金、鉄、その他の合金、プラスチック部材からなり、鋳造や押し出し加工等により一体成形される。また、前記各部材の一部は、プレス等により削ぐことも可能である。
【実施例１】
【００３９】
図１は本発明の第１実施例で、デッキ板、根太、連結押え部材、根太受け部材、高さ調整部材等を説明するための斜視図である。図２は本発明の第１実施例で、根太を説明するための断面図である。図３（イ）および（ロ）は本発明の第１実施例で、根太受け部材を説明する断面図および正面図である。図４は本発明の第１実施例で、角座金を説明するための断面図である。図５（イ）および（ロ）は本発明の第１実施例で、連結押え部材を説明する側面図および断面図である。
【００４０】
図１ないし図５において、縁側等は、デッキ板１１と、前記デッキ板１１が載置される根太１２と、前記根太１２の底部を受ける根太受け部材１３と、前記根太受け部材１３と協働して根太１２を固定する角座金１４と、前記デッキ板１１と根太１２とを固定する連結押え部材１５と、デッキ板１１の高さを水平に調整することができる高さ調整部材１６とから構成される。
【００４１】
前記デッキ板１１は、両側部に前記連結押え部材１５により連結するとともに、根太１２に固定するための溝１１１が形成されている。前記根太１２は、断面が図２に示されているように、下部に両側部から突出して、長さ方向に沿って設けられている角座金挿入溝１２１と、上部に両側から突出して、長さ方向に沿って設けられている連結押え部材挿入溝１２２と、前記連結押え部材挿入溝１２２の下部において、前記連結押え部材挿入溝１２２を連結するように設けられた連結押え部材載置板１２３と、前記角座金挿入溝１２１と前記連結押え部材挿入溝１２２とを連結する側部部材１２４と、前記連結押え部材載置板１２３の底部から前記角座金挿入溝１２１の上部に連結された二本の傾斜部材１２５とから構成されている。
【００４２】
前記角座金挿入溝１２１は、前記角座金１４が挿入され、任意の位置にスライドできる溝が成形されている。また、前記連結押え部材挿入溝１２２と前記連結押え部材載置板１２３とは、前記連結押え部材１５が挿入され、任意の位置にスライドできる溝が成形されている。デッキ板１１２は、たとえば、ビス（図示されていない）により、前記連結押え部材載置板１２３に螺合して取り付けられる。前記デッキ板１１２は、一枚ずつ連結押え部材１５により根太１２に取り付けられる。
【００４３】
すなわち、デッキ板１１２の一方とデッキ板１１３の他方における溝１１１には、前記連結押え部材１５の一方および他方のフランジを嵌合させる。前記連結押え部材１５は、前記連結押え部材挿入溝１２２内をスライドさせることにより、次々と所定の位置に取り付けることができる。最後のデッキ板（図示されていない）は、最初のデッキ板と同様に、図示されていないビスにより、前記連結押え部材載置板１２３に螺合させて取り付けられるため、ビスの個数を最小にすることができる。
【００４４】
前記根太受け部材１３は、図３に示されているように、根太１２の下部を載置し易いように、根太受け凹部１３１と、前記根太受け凹部１３１の中央に後述する高さ調整部材１６のボルト１６３を挿入するボルト挿入孔１３２と、前記根太受け凹部１３１の両端から立ち上がる傾斜側部１３３とから構成されている。前記傾斜側部１３３は、必ずしも傾斜させる必要がないが、根太１２の底部を収納し、固定し易い形状であることが条件である。
【００４５】
前記角座金１４は、図４に示されているように、中央部に押し出された部分があり、その内部にネジ１４２が切られている。前記角座金１４は、板厚だけであると、ネジ山の数が少なく所望の強度が得られないため、押し出し突出部１４１を設けている。前記根太受け部材１３は、高さ調整部材１６のボルト１６３に遊嵌された後、前記角座金１４を前記ボルト１６３に螺合する。
【００４６】
その後、前記高さ調整部材１６は、根太受け部材１３を根太１２の底部に嵌合させた後、角座金１４とナット１６４により所定の高さに仮固定する。前記高さ調整部材１６は、前記角座金１４を前記角座金挿入溝１２１に挿入し、前記根太受け部材１３とともに、スライドさせながら所定の位置に移動する。前記高さ調整部材１６の座金１６５およびナット１６４は、締めつけられることにより、前記根太１２と高さ調整部材１６とは固定される。
【００４７】
連結押え部材１５は、図５に示されているように、上部突出部１５１と、下部突出部１５２と、前記上部突出部１５１と下部突出部１５２との間に設けられた垂直な垂直連結部１５３とから構成される。前記上部突出部１５１、下部突出部１５２、および垂直連結部１５３は、前記根太１２の長さ方向に直角である。
【００４８】
また、前記上部突出部１５１は、前記デッキ板１１の溝１１１に嵌合する。さらに、下部突出部１５２は、前記連結押え部材挿入溝１２２に嵌合する形状となっている。また、垂直連結部１５３は、連結押え部材挿入溝１２２が邪魔にならないように、両端部に切欠き部１５４が成形されている。
【００４９】
高さ調整部材１６は、根太受け部材１３、前記角座金１４と、地盤または土台に載置される座板１６１と、前記座板１６１に、たとえば、溶接により取り付けられたボルト１６３′と、ボルト１６３および１６３′を接近または離間することにより高さを調整するターンバックル１６２と、ナット１６４と、座金１６５とから少なくとも構成されている。
【００５０】
したがって、デッキ板１１、根太１２、高さ調整部材１６は、根太受け部材１３、角座金１４、連結押え部材１５を介して固定されるとともに、縁側等の施行時あるいは施行後において、ターンバックル１６２を回転させるだけで、高さを自在に調整することができる。
【実施例２】
【００５１】
図６（イ）は本発明の第２実施例で、（ロ）は本発明の第３実施例で、根太の断面を説明するための図である。図６（イ）において、根太６１は、角座金挿入溝１２１の上部に両側から突出する上部水平部材６１１と、前記上部水平部材６１１のそれぞれに垂直に連設された垂直部材６１２と、前記それぞれ垂直部材６１２の上端を連結する連結部材６１３とを有する点で、第１実施例と異なっている。
【００５２】
第２実施例の発明は、前記ボルト１６３の頭を入れる余裕が少ないが、根太６１にかかる過重や変形に対する強度を向上させることができる。
【実施例３】
【００５３】
図６（ロ）において、根太６２は、第１実施例における傾斜部材１２５を除去した形状と同じ断面形状である。しかし、前記第３実施例の根太６２は、側部部材１２４′および連結押え部材載置板１２３′を厚くすることにより、過重や変形に対する強度をもたせている。
【実施例４】
【００５４】
図７は本発明の第４実施例で、デッキ板、連結押え部材、根太、角座金、根太受け部材、および高さ調整部材を説明するための断面図である。図７において、根太７１、根太受け部材７３１、および角座金７４１の形状が実施例１ないし実施例３と異なっている。根太７１は、角座金挿入溝の上部、および傾斜部材７２５の上部に溝付きセルフタップ溝７２７が設けられている。
【００５５】
根太７１の端部は、内部が見れないように、図示されていないエンドプレートにより閉塞される。前記エンドプレートは、図示されていないネジにより、前記溝付きセルフタップ溝７２７に螺合することにより取り付けられる。前記ネジは、セルフタップを立てながら螺合するが、セルフタップにより削れた屑が前記溝に収納されることにより固定が容易になる。
【００５６】
また、前記根太７１および根太受け部材７３１の底部長さ方向の角部７２６、７３４は、ほぼ相似形であり、根太７１の底部を根太受け部材７３１に嵌合し易い形状になっている。前記根太７１および根太受け部材７３１等の組立は、作業員がかがみ込んで作業を行うため、嵌合の容易または嵌合後のすわりを良くすることにより、デッキ板１１の水平面を保持するのが容易にできる。
【００５７】
前記角座金７４１は、押し出し突出部７４２を有し、下部に少なくとも一つの凹部７４３を有している。前記押し出し突出部７４２は、ボルト１６３との螺合を容易にするネジ山を多く取ることができる。また、前記凹部７４３は、角座金７４１の変形を防ぐための強度を得ることができる。
【産業上の利用可能性】
【００５８】
以上、本実施例を詳述したが、本発明は、前記本実施例に限定されるものではなく、特許請求の範囲に記載されている事項を逸脱することがなければ、種々の設計変更を行うことが可能である。たとえば、本発明の根太、連結押え部材、根太受け部材等は、鉄、鉄合金、アルミニウム、アルミニウム合金、その他の金属、あるいは合成樹脂部材から構成することができ、押し出しまたは引き抜き加工、あるいは鋳造、キャスティング等の公知または周知の技術により成形される。
【００５９】
本発明のターンバックルは、既製品をそのまま使用することができる。また、デッキ板は、板以外に合板、合わせ板、プラスチック、合成部材等縁側等に使用する部材を使用することができる。
【図面の簡単な説明】
【００６０】
【図１】本発明の第１実施例で、デッキ板、根太、連結押え部材、根太受け部材、高さ調整部材等を説明するための斜視図である。（実施例１）
【図２】本発明の第１実施例で、根太を説明するための断面図である。
【図３】（イ）および（ロ）は本発明の第１実施例で、根太受け部材を説明する断面図および正面図である。
【図４】本発明の第１実施例で、角座金を説明するための断面図である。
【図５】（イ）および（ロ）は本発明の第１実施例で、連結押え部材を説明する側面図および断面図である。
【図６】（イ）は本発明の第２実施例で、（ロ）は本発明の第３実施例で、根太の断面を説明するための図である。（実施例２）（実施例３）
【図７】本発明の第４実施例で、デッキ板、連結押え部材、根太、角座金、根太受け部材、および高さ調整部材を説明するための断面図である。（実施例４）
【符号の説明】
【００６１】
１１、１１２、１１３・・・デッキ板
１１１・・・溝
１２・・・根太
１２１・・・角座金挿入溝
１２２・・・連結押え部材挿入溝
１２３・・・連結押え部材載置板
１２４・・・側部部材
１２５・・・傾斜部材
１３・・・根太受け部材
１３１・・・根太受け凹部
１３２・・・ボルト挿入孔
１３３・・・傾斜側部
１４・・・角座金
１４１・・・押し出し突出部
１４２・・・ネジ
１５・・・連結押え部材
１５１・・・上部突出部
１５２・・・下部突出部
１５３・・・垂直連結部
１５４・・・切欠き部
１６・・・高さ調整部材
１６１・・・座板
１６１′・・・溶接部
１６２・・・ターンバックル
１６３、１６３′・・・ボルト
１６４・・・ナット
１６５・・・座金
【図１】
2005314931.tif 000003
【図２】
2005314931.tif 000004
【図３】
2005314931.tif 000005
【図４】
2005314931.tif 000006
【図５】
2005314931.tif 000007
【図６】
2005314931.tif 000008
【図７】
2005314931.tif 000009